(57)【要約】【課題】幅広なレール部材に応じた幅広な凹溝が設けられた上枠材に幅狭のレール部材を見栄え良くかつ簡易に取り付け得るレール装置を提供する。【解決手段】幅広レール部材６が埋め込まれるように取付可能な凹溝３が設けられた上枠材２に取り付けられるレール装置１であって、前記凹溝の溝幅方向に沿う方向の寸法Ｗ２が前記幅広レール部材よりも小とされた幅狭レール部材１０と、この幅狭レール部材と前記凹溝の内側面との間を塞ぐように配され、少なくとも下面１７ａが化粧面とされた化粧スペーサー材１７と、を備えている。【選択図】図１
2016169481.tif 000002
【特許請求の範囲】
【請求項１】
幅広レール部材が埋め込まれるように取付可能な凹溝が設けられた上枠材に取り付けられるレール装置であって、
前記凹溝の溝幅方向に沿う方向の寸法が前記幅広レール部材よりも小とされた幅狭レール部材と、この幅狭レール部材と前記凹溝の内側面との間を塞ぐように配され、少なくとも下面が化粧面とされた化粧スペーサー材と、を備えていることを特徴とするレール装置。
【請求項２】
請求項１において、
前記化粧スペーサー材は、前記凹溝の溝深さ方向に沿う方向の寸法が該凹溝の溝深さ寸法と同寸法とされていることを特徴とするレール装置。
【請求項３】
請求項１または２において、
前記化粧スペーサー材は、前記幅狭レール部材の溝幅方向に沿う方向両側のそれぞれに対状に配されることを特徴とするレール装置。
【請求項４】
請求項１乃至３のいずれか１項において、
前記化粧スペーサー材は、前記凹溝の溝幅方向両側に向く両側面の少なくとも下端部位が前記下面と一連状の化粧面とされていることを特徴とするレール装置。
【請求項５】
請求項４において、
前記化粧スペーサー材は、長手方向に見た外郭形状が矩形状とされた芯材の四周に前記化粧面を構成する表面仕上シートが貼着された化粧材を、前記凹溝の溝深さ方向に沿う方向の中心で二分割して形成されていることを特徴とするレール装置。
【発明の詳細な説明】
【技術分野】
【０００１】
本発明は、戸体の上端側をガイドするレール装置に関する。
【背景技術】
【０００２】
従来より、上枠材に設けられた凹溝に埋め込まれるように取り付けられ、戸体の上端部に設けられたランナーの転動部等の係合部をスライド自在に収容してガイドするガイド溝が設けられたレール部材が知られている。
例えば、下記特許文献１には、戸厚方向に沿う寸法が戸厚寸法と同程度とされた比較的に大きい吊戸ランナーの転動部を収容可能なように、ガイド溝の溝幅寸法が幅広とされた上レールを、上枠材の凹溝部に嵌め込んだ構成の開示がある。
また、下記特許文献２には、戸厚方向に沿う寸法が戸厚寸法よりも小とされた比較的に小さい走行体のローラーが設けられた部位を収容可能なように、ガイド溝の溝幅寸法が幅狭とされた上レールの開示がある。
【先行技術文献】
【特許文献】
【０００３】
【特許文献１】特開２０１３−１０８２９３号公報
【特許文献２】特開２００６−７７５７３号公報
【発明の概要】
【発明が解決しようとする課題】
【０００４】
上記のように、戸体の上端部には、種々のランナー（走行体）等の係合部が設けられ、これに応じたガイド溝を設けた幅寸法の上レールが必要になる。そのため、このような幅寸法の異なる上レールに応じた凹溝を設けた複数種の上枠材が必要になるという問題があった。また、例えば、模様替えのためや故障等によって、幅広な上レールに代えて、幅狭な上レールを取り付けたい場合が生じることが考えられる。このような場合に、既設の上枠材を撤去し、新たな上レールに応じた凹溝を設けた上枠材を設置することも考えられるが、大掛かりな作業となる。また、既設の上枠材に対して新たな上レールを取り付けることも考えられるが、既設の上枠材の凹溝の内側面との間に隙間が形成されたりすることが考えられる。
【０００５】
本発明は、上記実情に鑑みてなされたものであり、幅広なレール部材に応じた幅広な凹溝が設けられた上枠材に幅狭のレール部材を見栄え良くかつ簡易に取り付け得るレール装置を提供することを目的としている。
【課題を解決するための手段】
【０００６】
上記目的を達成するために、本発明に係るレール装置は、幅広レール部材が埋め込まれるように取付可能な凹溝が設けられた上枠材に取り付けられるレール装置であって、前記凹溝の溝幅方向に沿う方向の寸法が前記幅広レール部材よりも小とされた幅狭レール部材と、この幅狭レール部材と前記凹溝の内側面との間を塞ぐように配され、少なくとも下面が化粧面とされた化粧スペーサー材と、を備えていることを特徴とする。
【発明の効果】
【０００７】
本発明に係るレール装置は、上述のような構成としたことで、幅広なレール部材に応じた幅広な凹溝が設けられた上枠材に幅狭のレール部材を見栄え良くかつ簡易に取り付けることができる。
【図面の簡単な説明】
【０００８】
【図１】（ａ）、（ｂ）は、本発明の一実施形態に係るレール装置の一例及びレール装置の取付構造の一例を模式的に示し、（ａ）は、（ｂ）におけるＸ−Ｘ線矢視に対応させた一部破断概略縦断面図、（ｂ）は、（ａ）におけるＹ−Ｙ線矢視に対応させた一部破断概略横断面図である。
【図２】（ａ）は、図１（ａ）に対応させた一部破断概略分解縦断面図、（ｂ）は、同レール装置が備える化粧スペーサー材の一例の製造工程の一例を模式的に示す概略縦断面図である。
【図３】幅広レール部材の一例が取り付けられた状態を模式的に示す図１（ａ）に対応させた一部破断概略縦断面図である。
【発明を実施するための形態】
【０００９】
以下に本発明の実施の形態について、図面に基づいて説明する。
なお、以下の実施形態では、本実施形態に係るレール装置を施工した状態を基準として上下方向等の方向を説明する。
【００１０】
図１及び図２（ａ）は、本実施形態に係るレール装置の一例を模式的に示す図である。
本実施形態に係るレール装置１は、幅広レール部材６が埋め込まれるように取付可能な凹溝３が設けられた上枠材２に取り付けられる構成とされている。また、レール装置１は、凹溝３の溝幅方向に沿う方向の寸法（幅寸法）Ｗ２が幅広レール部材６の溝幅方向に沿う方向の寸法（幅寸法）Ｗ１よりも小とされた幅狭レール部材１０を備えている。つまり、このレール装置１は、幅狭レール部材１０の幅寸法Ｗ２よりも大とされた幅広レール部材６に応じた溝幅寸法Ｗ１とされた幅広な凹溝３が設けられた上枠材２に対して取り付けられる。
【００１１】
このレール装置１は、既設の幅広レール部材６が取り外された既設の上枠材２の凹溝３に埋め込まれるように取り付けられるものとしてもよい。また、このレール装置１を、既設の幅広レール部材６がガイドする既設戸体５に替えて、図１に示すように、新たな戸体７を設置する際に、既設の幅広レール部材６に替えて、上枠材２に取り付けられ、新たな戸体７をガイドする構成としてもよい。つまり、このレール装置１を、例えば、既設戸体５やその係合部５ａに故障が生じた際や模様替え等のために既設戸体５を新たな戸体７に取り替える必要が生じた際に、既設の幅広レール部材６を上枠材２から撤去して上枠材２に取り付けられるものとしてもよい。
本実施形態では、これら幅広レール部材６及び幅狭レール部材１０を、一本のガイド溝６ａ，１１が設けられた単レールとし、これらにガイドされる既設戸体５及び新たな戸体７を、折戸としている（図１（ｂ）参照）。
【００１２】
上枠材２は、住居等の建物の壁体を貫通するように設けられる出入口の上側を区画し、戸枠を構成する。本実施形態では、この上枠材２の長手方向両端部に、出入口の間口方向両側を区画し、戸枠を構成する両側の縦枠材４，４を連結するように設けた例を示している。なお、これら上枠材２及び縦枠材４，４は、適宜の枠下地に固定される。また、出入口の下側を区画する下枠を更に設けてもよく、または、出入口の下側を床面によって区画する態様としてもよい。
また、図例では、この上枠材２を、全長に亘って一様な幅寸法（壁厚方向に沿う寸法）とし、両側の縦枠材４，４を左右対称状とした例を示しているが、このような態様に限られない。例えば、既設戸体５及び新たな戸体７を、引戸とした場合には、袖壁や戸袋を区画する戸袋壁等に応じて上枠材２の長手方向略半部の幅寸法を異ならせたり、縦枠材４，４の互いの幅寸法を異ならせたり、さらには、中方立等を更に備えた構成としたりしてもよい。既設戸体５及び新たな戸体７が建て付けられる戸枠を構成する上枠材２及び縦枠材４，４の態様としては、その他、種々の変形が可能である。
【００１３】
また、上枠材２の凹溝３は、図１（ｂ）及び図２（ａ）に示すように、上枠材２の長手方向に沿って延びるように、かつ下向きに開口するように設けられている。この凹溝３は、上枠材２の全長に亘って設けられたものとしてもよい。
また、凹溝３は、下方側に向く溝底面と壁厚方向に沿う方向に向きかつ互いに対向するように設けられた両側の内側面とによって区画されており、長手方向に見て、矩形溝状とされている。
この凹溝３の溝幅寸法（壁厚方向に沿う寸法）Ｗ１及び溝深さ寸法（上下寸法）は、幅広レール部材６の受け入れが可能なように適宜の寸法とされている。
【００１４】
既設戸体５は、図３に示すように、既設の幅広レール部材６に設けられたガイド溝６ａにスライド自在に係合してガイドされる係合部としての既設ランナー５ａを上端側に設けた構成とされている。
既設ランナー５ａは、戸厚方向（壁厚方向に沿う方向）に沿う軸廻りに回転する転動体５ｂ，５ｂを戸厚方向に間隔を空けて設けた構成とされている。この既設ランナー５ａは、戸厚方向に沿う寸法（戸厚方向一方の転動体５ｂの戸厚方向外側面から戸厚方向他方の転動体５ｂの戸厚方向外側面までの戸厚方向に沿う寸法）が既設戸体５の戸厚寸法よりも大とされている。
また、既設戸体５は、この既設ランナー５ａの転動体５ｂ，５ｂが幅広レール部材６に案内支持されて幅広レール部材６に対して吊下支持される構成とされている。
【００１５】
幅広レール部材６は、既設ランナー５ａをガイドするガイド溝６ａを下向きに開口するように設けた構成とされている。この幅広レール部材６は、ガイド溝６ａを、長手方向両端側が開口するように全長に亘って設けた構成とされ、全長に亘って一様な断面形状とされている。また、この幅広レール部材６の長さ寸法は、上枠材２の長さ寸法と概ね同長さとされている。
この幅広レール部材６は、ガイド溝６ａの底側を区画する底壁部６ｂとガイド溝６ａの溝幅方向両側を区画する両側壁部６ｃ，６ｃとを備えている。また、幅広レール部材６は、これら両側壁部６ｃ，６ｃの下端部から互いに向き合う方向に突出し、既設ランナー５ａの転動体５ｂ，５ｂを案内支持する案内片部６ｄ，６ｄを備えている。また、幅広レール部材６の両側壁部６ｃ，６ｃの下端部には、溝幅方向（戸厚方向に沿う方向）外方側に突出する突出片部が設けられている。
【００１６】
この幅広レール部材６のガイド溝６ａの溝幅寸法となる一方の側壁部６ｃの内面から他方の側壁部６ｃの内面までの溝幅方向に沿う寸法は、既設ランナー５ａの上記戸厚方向に沿う寸法に応じた寸法とされている。また、この幅広レール部材６のガイド溝６ａの深さ寸法となる底壁部６ｂから案内片部６ｄ，６ｄまでの上下方向に沿う寸法は、既設ランナー５ａの転動体５ｂ，５ｂの外径に応じた寸法とされている。
また、上記した上枠材２の凹溝３の溝幅寸法Ｗ１は、この幅広レール部材６の一方の側壁部６ｃの外側面から他方の側壁部６ｃの外側面までの溝幅方向に沿う寸法Ｗ１と略同寸法とされている。
また、上記した上枠材２の凹溝３の溝深さ寸法は、この幅広レール部材６の底壁部６ｂの上面から突出片部の上面までの上下方向に沿う寸法に応じた寸法とされている。
上記構成とされた幅広レール部材６は、ねじ等によって上枠材２に取り付けられており、このねじ等を取り外せば、上枠材２から取外し可能とされている。
【００１７】
本実施形態に係るレール装置１が備える幅狭レール部材１０にガイドされる新たな戸体７は、既設戸体５と戸厚寸法が概ね同寸法とされている。なお、これら既設戸体５及び新たな戸体７の戸厚寸法は、２０ｍｍ〜４０ｍｍ程度でもよく、互いに異なる寸法でもよい。
また、この戸体７は、図１（ａ）に示すように、幅狭レール部材１０に設けられたガイド溝１１にスライド自在に係合してガイドされる係合部としてのランナー８を上端側に設けた構成とされている。
【００１８】
ランナー８は、戸厚方向に沿う軸廻りに回転する転動体８ａ，８ａを戸厚方向に間隔を空けて設けた構成とされている。このランナー８は、戸厚方向に沿う寸法（戸厚方向一方の転動体８ａの戸厚方向外側面から戸厚方向他方の転動体８ａの戸厚方向外側面までの戸厚方向に沿う寸法）が戸体７の戸厚寸法よりも小とされている。つまり、このランナー８の戸厚方向に沿う寸法は、上記した既設ランナー５ａの戸厚方向に沿う寸法よりも小とされている。
また、このランナー８の転動体８ａ，８ａ間の戸厚方向に沿う寸法は、既設ランナー５ａの転動体５ｂ，５ｂ間の戸厚方向に沿う寸法よりも小とされている。
また、このランナー８の転動体８ａ，８ａの軸方向に沿う寸法は、既設ランナー５ａの転動体５ｂ，５ｂの軸方向に沿う寸法よりも小とされている。
【００１９】
本実施形態に係るレール装置１が備える幅狭レール部材１０は、図１及び図２（ａ）に示すように、上記した幅広レール部材６のガイド溝６ａの溝幅寸法よりも溝幅寸法が小とされた下向きに開口するガイド溝１１を設けた構成とされている。
この幅狭レール部材１０は、このガイド溝１１を、長手方向両端側が開口するように全長に亘って設けた構成とされ、全長に亘って一様な断面形状とされている。また、本実施形態では、この幅狭レール部材１０を、長手方向に見て、溝幅方向中心線を対称軸とする線対称状としている。また、この幅狭レール部材１０の長さ寸法は、上枠材２の長さ寸法と概ね同長さとされている。
【００２０】
また、幅狭レール部材１０は、ガイド溝１１の底側を区画する底壁部１２とガイド溝１１の溝幅方向両側を区画する両側壁部１３，１３とを備えている。
本実施形態では、底壁部１２の溝幅方向中央部に、当該幅狭レール部材１０を上枠材２に固定するねじ等の止具９の止着箇所１２ａを設けている。本実施形態では、この止着箇所１２ａを、底壁部１２を厚さ方向に貫通し、止具９が挿通される挿通孔としている。このように止着箇所１２ａを挿通孔とした場合には、図１（ｂ）に示すように、幅狭レール部材１０の長手方向に間隔を空けて複数箇所に設けるようにしてもよい。なお、止具９の止着箇所１２ａとしては、このような挿通孔に限られず、止具９の誘い（目印）となる例えば、全長に亘って設けられたＶ溝状の細溝等としてもよい。
【００２１】
また、幅狭レール部材１０は、両側壁部１３，１３の下端部から互いに向き合う方向に突出し、ランナー８の転動体８ａ，８ａを案内支持する案内片部１５，１５を備えている。これら案内片部１５，１５の突出寸法、つまり、各側壁部１３，１３の下端部からの案内片部１５，１５の溝幅方向に沿う寸法は、ランナー８の転動体８ａ，８ａの軸方向に沿う寸法に応じた寸法とされている。また、案内片部１５，１５によって区画されるガイド溝１１の下端の開口幅寸法は、ランナー８を戸体７に連結する上下方向に軸方向を沿わせた連結軸の挿通が可能な寸法とされている。
【００２２】
また、この幅狭レール部材１０のガイド溝１１の溝幅寸法となる一方の側壁部１３の内面から他方の側壁部１３の内面までの溝幅方向に沿う寸法は、ランナー８の上記戸厚方向に沿う寸法に応じた寸法とされている。また、この幅狭レール部材１０のガイド溝１１の深さ寸法となる底壁部１２から案内片部１５，１５までの上下方向に沿う寸法は、ランナー８の転動体８ａ，８ａの外径に応じた寸法とされている。
また、当該幅狭レール部材１０の凹溝３に嵌め込まれる部位の幅寸法Ｗ２となる一方の側壁部１３の外側面から他方の側壁部１３の外側面までの溝幅方向に沿う寸法は、凹溝３の溝幅寸法Ｗ１よりも小さい寸法とされている。図例では、当該幅狭レール部材１０の幅寸法Ｗ２を、凹溝３の溝幅寸法Ｗ１の概ね１／２程度とした例を示している。
【００２３】
また、本実施形態では、幅狭レール部材１０の両側壁部１３，１３の下端部に、溝幅方向外方側に向けてそれぞれに突出する突出片部１４，１４を設けた構成としている。一方の突出片部１４の先端部から他方の突出片部１４の先端部までの凹溝３の溝幅方向に沿う寸法は、凹溝３の溝幅寸法Ｗ１よりも小とされている。
また、これら突出片部１４，１４は、幅狭レール部材１０が上枠材２に取り付けられた状態で、これら突出片部１４，１４の上面が上枠材２の下面と略同高さとなるように設けられている。つまり、これら突出片部１４，１４の上面から底壁部１２の上面までの上下方向に沿う寸法が凹溝３の溝深さ寸法と略同寸法とされている。
また、図例では、これら突出片部１４，１４の下面と案内片部１５，１５の下面とを一連状の同一平面状とした例を示している。
また、図例では、幅狭レール部材１０の底壁部１２、両側壁部１３，１３、各突出片部１４，１４及び各案内片部１５，１５の厚さ寸法を、それぞれ概ね同寸法とした例を示している。
なお、この幅狭レール部材１０は、適宜の金属系材料や合成樹脂系材料から押出成形や鋳造成形または切削加工等によって一体的に成形されたものとしてもよい。
【００２４】
また、レール装置１は、図１（ａ）に示すように、この幅狭レール部材１０と凹溝３の内側面との間を塞ぐように配され、少なくとも下面１７ａが化粧面とされた化粧スペーサー材１７を備えている。
本実施形態では、幅狭レール部材１０の溝幅方向に沿う方向両側のそれぞれに対状に配される一対の化粧スペーサー材１７，１７を備えた構成としている。
これら化粧スペーサー材１７，１７は、図１（ｂ）に示すように、凹溝３の全長に亘って設けられ、長手方向に見た外郭形状が略矩形状とされている。これら化粧スペーサー材１７，１７は、長さ寸法が凹溝３の溝長さ寸法と略同寸法とされている。
【００２５】
また、これら化粧スペーサー材１７，１７は、互いに向き合う側となる一方側の側面１７ｂ，１７ｂが幅狭レール部材１０の各側壁部１３，１３の外側面に当接または近接して配される構成とされている。また、これら化粧スペーサー材１７，１７は、他方側の側面１７ｂ，１７ｂが凹溝３の各内側面に当接または近接して配される構成とされている。つまり、これら化粧スペーサー材１７，１７の凹溝３の溝幅方向に沿う寸法（幅寸法）を足し合わせた寸法は、凹溝３の溝幅寸法Ｗ１から幅狭レール部材１０の幅寸法Ｗ２を差し引いた寸法と略同寸法とされている。
また、本実施形態では、これら化粧スペーサー材１７，１７の幅寸法を、互いに略同寸法としている。つまり、これら化粧スペーサー材１７，１７の間に設けられる幅狭レール部材１０は、凹溝３の溝幅方向略中央に位置するように配される構成とされている。
【００２６】
また、これら化粧スペーサー材１７，１７の凹溝３の溝深さ方向に沿う方向の寸法（上下方向に沿う寸法）を、凹溝３の溝深さ寸法と略同寸法としている。
また、これら化粧スペーサー材１７，１７は、それぞれの下面１７ａ，１７ａが上枠材２の下面と略同一平面状となるように配される構成とされている。つまり、これら化粧スペーサー材１７，１７の上面１７ｃ，１７ｃを凹溝３の溝底面に当接または近接させた状態で、それぞれの下面１７ａ，１７ａが上枠材２の下面と略同一平面状となる構成とされている。
また、上記した幅狭レール部材１０の突出片部１４，１４は、これら化粧スペーサー材１７，１７の下面１７ａ，１７ａに当接または近接される構成とされている。つまり、これら化粧スペーサー材１７，１７によって形成される幅狭な凹溝の開口縁を覆うように突出片部１４，１４が設けられている。
【００２７】
また、これら化粧スペーサー材１７，１７における凹溝３の溝幅方向両側に向く両側面１７ｂ，１７ｂ，１７ｂ，１７ｂの少なくとも下端部位を、下面１７ａ，１７ａと一連状の化粧面としている。本実施形態では、これら化粧スペーサー材１７，１７の両側面１７ｂ，１７ｂ，１７ｂ，１７ｂの全体を下面１７ａ，１７ａと一連状の化粧面としている。
また、本実施形態では、これら化粧スペーサー材１７，１７を、下面１７ａ，１７ａ及び両側面１７ｂ，１７ｂ，１７ｂ，１７ｂが化粧面となるように、芯材１８に表面仕上シート１９を貼着した構成としている。また、これら化粧スペーサー材１７，１７を、図２（ｂ）に示すように、化粧材１６を凹溝３の溝深さ方向に沿う方向の中心で二分割して形成されたものとしている。化粧材１６は、長手方向に見た外郭形状が矩形状とされた芯材１８の四周に化粧面を構成する表面仕上シート１９が貼着された構成とされている。つまり、各化粧スペーサー材１７，１７の芯材１８，１８は、化粧材１６の芯材１８を二分割した構成とされている。
【００２８】
芯材１８としては、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。また、芯材１８は、合成樹脂系材料に、木粉や無機フィラー、相溶化剤、着色剤などを所定の含有割合で含有させた木粉・プラスチック複合材（ＷＰＣ）から形成されたものとしてもよく、また、合成樹脂系材料や金属系材料からなるものとしてもよい。また、芯材１８は、中実状とされたものに限られず、中空状とされたものとしてもよい。この場合は、好ましくは、二分割される部位近傍が中実となるように適宜の桟材が設けられたものとしてもよい。
【００２９】
表面仕上シート１９は、表面が化粧面とされ、薄シート状（フィルム状）とされている。この表面仕上シート１９は、上枠材２の色柄に応じた色柄とされたものとしてもよく、例えば、表面が木目模様等の適宜の色柄とされたもの等としてもよい。または、この表面仕上シート１９の表面を、幅狭レール部材１０の色調に応じた色調（例えば、金属系の色調）とされたものとしてもよい。つまりは、表面仕上シート１９の表面を、上枠材２または幅狭レール部材１０の表面意匠に応じた化粧面としてもよい。
また、表面仕上シート１９としては、例えば、合成樹脂製シートや突板等の化粧シートとしてもよく、樹脂クロスや紙クロス、布クロス等の壁紙等としてもよい。
【００３０】
化粧材１６は、図２（ｂ）に示すように、芯材１８の四周に一連状に表面仕上シート１９を貼着した構成とされている。図例では、芯材１８の四周に一連状に貼着された表面仕上シート１９の両端部を、化粧材１６の厚さ方向一方側面における凹溝３の溝深さ方向に沿う方向の中心において突き合わせた例を示している。
この化粧材１６の凹溝３の溝深さ方向に沿う方向（幅方向）の両端面が、一対の化粧スペーサー材１７，１７の各下面１７ａ，１７ａを構成する。また、化粧材１６の凹溝３の溝幅方向に沿う方向（厚さ方向）の両側面が、一対の化粧スペーサー材１７，１７の各両側面１７ｂ，１７ｂ，１７ｂ，１７ｂを構成する。また、化粧材１６を二分割した際の各切断面が、一対の化粧スペーサー材１７，１７の各上面１７ｃ，１７ｃを構成する。
【００３１】
なお、一対の化粧スペーサー材１７，１７は、この化粧材１６を工場等において二分割して形成されたものとしてもよい。または、例えば、化粧スペーサー材１７，１７を、工場出荷後に住居等の施工現場や工務店等の施工現場外において化粧材１６を二分割して形成されたものとしてもよい。この場合は、例えば、芯材１８の四周面を、表面仕上シート１９の貼着が可能なように易貼着性の下地面とし、上枠材２の色柄等と表面意匠を合わせるように選択された表面仕上シート１９が施工現場や施工現場外において芯材１８に貼着されたものとしてもよい。
【００３２】
上記構成とされたレール装置１は、例えば、以下のように施工するようにしてもよい。
まず、既設の幅広レール部材６が取り外された既設の上枠材２の凹溝３に一対の化粧スペーサー材１７，１７を差し入れ、これら化粧スペーサー材１７，１７を上枠材２に取り付ける。この際、各化粧スペーサー材１７，１７を、釘やねじ等の適宜の止具を介して上枠材２に固定する場合には、下面１７ａ，１７ａに止具が露出しないように固定するようにしてもよい。また、このような止具によって化粧スペーサー材１７，１７を上枠材２に固定する態様に代えて、または、加えて、適宜の接着剤や粘着テープ等の粘着材を用いるようにしてもよい。
【００３３】
そして、これら化粧スペーサー材１７，１７によって溝幅方向両側が区画される幅狭な凹溝に、幅狭レール部材１０を嵌め入れ、上記のように止具９によって上枠材２に取り付けるようにしてもよい。
なお、このように幅狭レール部材１０を取り付ける前に、新たな戸体７の上端側に連結されるランナー８を、幅狭レール部材１０のガイド溝１１に保持させておくようにしてもよい。そして、当該幅狭レール部材１０を取り付けた後に、幅狭レール部材１０に保持されたランナー８の連結軸を、戸体７の上端部に設けられた適宜の連結凹部等に連結して戸体７を建て付ける態様等としてもよい。
【００３４】
本実施形態に係るレール装置１は、上述のような構成としたことで、幅広レール部材６に応じた幅広な凹溝３が設けられた上枠材２に幅狭レール部材１０を見栄え良くかつ簡易に取り付けることができる。
つまり、幅広レール部材６の幅寸法Ｗ１よりも幅寸法Ｗ２が小とされた幅狭レール部材１０と、この幅狭レール部材１０と凹溝３の内側面との間を塞ぐように配され、少なくとも下面１７ａが化粧面とされた化粧スペーサー材１７と、を備えた構成としている。従って、幅広レール部材６に応じた幅広な凹溝３が設けられた上枠材２の凹溝３の内側面との間に隙間が形成されるようなことがなく、幅狭レール部材１０及び化粧スペーサー材１７を埋め込むように凹溝３に取り付けることができる。これにより、幅狭レール部材１０の位置ずれを抑制することができる。
【００３５】
また、化粧スペーサー材１７の少なくとも下面１７ａが化粧面であるので、見栄えが損なわれるようなことを低減することができる。また、上枠材２を、幅広レール部材６及び幅狭レール部材１０のいずれにも適用可能な兼用の部材にでき、幅広レール部材６及び幅狭レール部材１０の各幅寸法Ｗ１，Ｗ２に応じた凹溝が形成された複数種の上枠材を要せず、幅狭レール部材１０を取り付けることができる。これにより、上記した例のように、既設の幅広レール部材６に替えて、幅狭レール部材１０を取り付ける場合にも、既設の上枠材２を撤去することなく、幅広レール部材６を取り外した上枠材２に対して、幅狭レール部材１０を見栄え良く取り付けることができる。また、上枠材２を、幅広レール部材６と幅狭レール部材１０とのいずれにも適用可能な兼用の部材にできるので、上枠材２の生産性や取扱性等を向上させることができる。
【００３６】
また、本実施形態では、化粧スペーサー材１７における凹溝３の溝深さ方向に沿う方向の寸法を、凹溝３の溝深さ寸法と同寸法としている。従って、化粧スペーサー材１７の上面１７ｃを凹溝３の溝底面に当接させれば、化粧スペーサー材１７の下面１７ａが上枠材２の下面と略同一平面状となる。これにより、見栄えの向上が可能でありながらも、化粧スペーサー材１７の取付性を向上させることができる。
【００３７】
また、本実施形態では、幅狭レール部材１０の幅方向両側のそれぞれに対状に配される一対の化粧スペーサー材１７，１７を備えた構成としている。従って、幅狭レール部材１０の幅方向一方側のみに化粧スペーサー材１７が設けられるものとした場合と比べて、幅狭レール部材１０が幅方向一方側に片寄って配されるようなことを抑制することができる。これにより、幅広レール部材６にガイドされる既設戸体５の戸厚方向中心と幅狭レール部材１０にガイドされる新たな戸体７の戸厚方向中心とを概ね一致させるようなこともでき、縦枠等の戸体７の周辺部材の兼用化を図ることも可能となる。
【００３８】
また、本実施形態では、化粧スペーサー材１７における凹溝３の溝幅方向両側に向く両側面１７ｂ，１７ｂの少なくとも下端部位を、下面１７ａと一連状の化粧面としている。従って、化粧スペーサー材１７の下面１７ａのみを化粧面としたようなものと比べて、化粧スペーサー材１７の両側の非化粧面が露出するようなことを抑制することができる。また、本実施形態のように、化粧スペーサー材１７を、芯材１８に表面仕上シート１９を貼着した構成とした場合にも、表面仕上シート１９の剥離が生じ難くなり、見栄えを向上させることができる。
【００３９】
また、本実施形態では、化粧スペーサー材１７を、芯材１８の四周に化粧面を構成する表面仕上シート１９が貼着された化粧材１６を、上枠材２の凹溝３の溝深さ方向に沿う方向の中心で二分割して形成されたものとしている。従って、化粧スペーサー材１７の下面１７ａ及び溝幅方向両側に向く両側面１７ｂ，１７ｂが一連状の化粧面となり、上記同様な効果を奏する。また、各化粧スペーサー材１７，１７の下面１７ａ，１７ａ及び両側面１７ｂ，１７ｂ，１７ｂ，１７ｂが一連状の化粧面となるように、個別に表面仕上シートを貼着して形成されたものと比べて、効率的に形成することができる。
【００４０】
なお、本実施形態では、化粧スペーサー材１７を、芯材１８に表面仕上シート１９を貼着した構成としているが、このような態様に代えて、化粧スペーサー材１７を、塗装や適宜の表面仕上処理によって少なくとも下面１７ａが化粧面とされたものとしてもよい。また、例えば、化粧スペーサー材１７を、上枠材２と同種の天然銘木の無垢材からなるものとしてもよい。
また、本実施形態では、化粧スペーサー材１７の長手方向両端面を非化粧面とした例を示しているが、長手方向両端面を化粧面としてもよい。
また、本実施形態では、化粧スペーサー材１７の下面１７ａ及び両側面１７ｂ，１７ｂの全体を化粧面としているが、このような態様に限られない。例えば、化粧スペーサー材１７の両側面１７ｂ，１７ｂの下端部位のみを化粧面としたり、さらには、下面１７ａのみを化粧面としてもよい。
【００４１】
また、本実施形態では、化粧スペーサー材１７の長さ寸法を、凹溝３の溝長さ寸法と略同長さとした例を示しているが、このような態様に代えて、凹溝３の溝長さ寸法よりも短い寸法とされた複数の化粧スペーサー材１７を設けた構成としてもよい。
また、本実施形態では、一対の化粧スペーサー材１７，１７の幅寸法を互いに略同寸法とした例を示しているが、互いに異なる寸法とされたものとしてもよい。さらには、このように一対の化粧スペーサー材１７，１７を備えたものに代えて、幅狭レール部材１０の幅方向一方側のみに配される化粧スペーサー材１７を備えた構成としてもよい。
【００４２】
また、本実施形態では、幅狭レール部材１０にランナー８の転動体８ａ，８ａを案内支持する案内片部１５，１５を設け、幅狭レール部材１０を、戸体７を吊下支持する構成とした例を示しているが、このような態様に限られない。例えば、幅狭レール部材１０のガイド溝１１を、下荷重型の戸体７の上端部の係合部８がスライド自在に係合する構成とされたものとしてもよい。この場合は、例えば、幅狭レール部材１０に案内片部１５，１５を設けないようにしてもよく、また、円柱状や突条等とされた戸体７の係合部８をガイド溝１１に受け入れてガイドするものとしてもよい。
また、本実施形態では、単一のガイド溝１１を設けた幅狭レール部材１０を例示しているが、このような態様に限られず、複数本のガイド溝１１を設けた複数連レール部材１０としてもよい。この場合は、溝幅方向最外方側に位置する両側壁部１３，１３の両方または一方と凹溝３の内側面との間に化粧スペーサー材１７を設けるようにしてもよい。
【符号の説明】
【００４３】
１      レール装置
１０    幅狭レール部材
１６    化粧材
１７    化粧スペーサー材
１７ａ  下面
１７ｂ  側面（凹溝の溝幅方向両側に向く側面）
１８    芯材
１９    表面仕上シート
２      上枠材
３      凹溝
６      幅広レール部材
Ｗ１    凹溝の溝幅寸法（幅広レール部材の凹溝の溝幅方向に沿う方向の寸法）
Ｗ２    幅狭レール部材の幅寸法（凹溝の溝幅方向に沿う方向の寸法）
【図１】
2016169481.tif 000003
【図２】
2016169481.tif 000004
【図３】
2016169481.tif 000005